(57)【特許請求の範囲】
【請求項１】
裏面へ鏡を付設した蓋体であって、該蓋体は、蓋本体１と、該蓋本体の裏面へ固着させた内枠部材11と、該内枠部材内へ嵌合させて、内枠部材と一体成形した鏡付設部材21と、該部材が有する取付け板22へ固着させた鏡31とで、該鏡以外をすべて合成樹脂製となし、
蓋体裏返し状態において、
蓋本体１は、頂板２外周から起立する周壁３後壁部分の左右両部を前方へ延長してこれ等両延長部3d,3d 間に小凹部６を形成して周壁前壁部分3bと、周壁左右両壁部分3c,3c と、上記延長部3d,3d とが囲む大凹部７と連通させ、
上記内枠部材11は、上記前壁部分3bと、左右側壁部分3c,3c と、延長部3d,3d との各内壁面へ嵌合固着させた枠部分12下端から蓋本体頂板２の上面へ載置させた内向きフランジ13を突出させて、上記小凹部前方の枠部分および内向きフランジを切欠いた形状となし、
鏡付設部材21は、上記内向きフランジ13が囲む蓋本体頂板部分上へ載置させた取付け板22外周面を、上記内向きフランジ13の内周面と複数箇所で破断可能に破断子23で連結すると共に上記小凹部６前方の取付け板後面部分から張出し板24を頂板２上面に接して突設すると共に、該張出し板後端部から起立部25を介して小凹部６の後方上部内へ摘み板26を突設し、
鏡31は、外周部裏面を上記内向きフランジ13および張出し板24上面へ載置させ、かつ中央部を取付け板22上面へ固着させて設けた
ことを特徴とするコンパクト容器の鏡付き蓋体。
【請求項２】
上記周壁３内壁面に対する内枠部材枠部分12外面の嵌合固着を、凹凸条８,14 の噛合せ嵌合で行った
ことを特徴とする請求項１記載のコンパクト容器の鏡付き蓋体。
【請求項３】
上記鏡31の固着を取付け板22の前部上面で行うと共に、少くとも該取付け板後部と張出し板24との下方頂板部分を後部が低い傾斜面41とし、該傾斜面の前部上方の取付け板部分に屈折線42を横設して、上記摘み板26を押下げすることで屈折線42後方の取付け板部分および張出し板24が揺動して、取付け板後面側の破断子23が切断可能に形成したことを特徴とする、請求項１、又は請求項２記載のコンパクト容器の鏡付き蓋体。
【発明の詳細な説明】
【０００１】
【発明の属する技術分野】
本発明はコンパクト容器の鏡付き蓋体に関する。
【０００２】
【従来の技術】
通常化粧用コンパクト容器の蓋体裏面には、表裏両面へ接着剤を塗布した両面テープを用いて、鏡を貼付させている。
【０００３】
【発明が解決しようとする課題】
近時廃棄物の増大のため、廃棄物を材質毎に分別し、分別された資材を再利用することが重視されている。
【０００４】
化粧用コンパクト容器は、通常合成樹脂製の容器本体と蓋体とから形成されているが、その蓋体裏面には鏡が固着されているから、上記分別の見地からその鏡を外すことが必要であるが、その鏡は容易に外すことは出来なかった。尚容器本体と蓋体とは従来金属製ピンで枢着されていたが、該枢着も合成樹脂で行う試みがなされており、このようにすることで鏡を外した蓋体は容器本体と共に合成樹脂として再溶融して利用できる。
【０００５】
本発明の主たる課題は、鏡だけを蓋体から取外すことは困難であることから、鏡を固着させた蓋体一部を鏡と共に除去可能として、蓋体残余部分を再活用できるようにすることであり、他の課題の一つは、鏡を固着させた取付け板を有する部材を蓋体に確実に固着させて一体的に連結することであり、更に他の課題は、蓋体廃棄時における、上記鏡付き取付け板を蓋体から容易に取外しできるよう設けることである。
【０００６】
【課題を解決するための手段】
第１の手段として裏面へ鏡を付設した蓋体であって、該蓋体は、蓋本体１と、該蓋本体の裏面へ固着させた内枠部材11と、該内枠部材内へ嵌合させて、内枠部材と一体成形した鏡付設部材21と、該部材が有する取付け板22へ固着させた鏡31とで、該鏡以外をすべて合成樹脂製となし、
蓋体裏返し状態において、
蓋本体１は、頂板２外周から起立する周壁３後壁部分の左右両部を前方へ延長してこれ等両延長部3d,3d 間に小凹部６を形成して周壁前壁部分3bと、周壁左右両壁部分3c,3c と、上記延長部3d,3d とが囲む大凹部７と連通させ、
上記内枠部材11は、上記前壁部分3bと、左右側壁部分3c,3c と、延長部3d,3d との各内壁面へ嵌合固着させた枠部分12下端から蓋本体頂板２の上面へ載置させた内向きフランジ13を突出させて、上記小凹部前方の枠部分および内向きフランジを切欠いた形状となし、
鏡付設部材21は、上記内向きフランジ13が囲む蓋本体頂板部分上へ載置させた取付け板22外周面を、上記内向きフランジ13の内周面と複数箇所で破断可能に破断子23で連結すると共に上記小凹部６前方の取付け板後面部分から張出し板24を頂板２上面に接して突設すると共に、該張出し板後端部から起立部25を介して小凹部６の後方上部内へ摘み板26を突設し、
鏡31は、外周部裏面を上記内向きフランジ13および張出し板24上面へ載置させ、かつ中央部を取付け板22上面へ固着させて設けた。
【０００７】
第２の手段として上位第１の手段を有すると共に上記周壁３内壁面に対する内枠部材枠部分12外面の嵌合固着を、凹凸条８,14 の噛合せ嵌合で行った。
【０００８】
第３の手段として、上記第１又は第２の手段を有すると共に上記鏡31の固着を取付け板22の前部上面で行うと共に、少くとも該取付け板後部と張出し板24との下方頂板部分を後部が低い傾斜面41とし、該傾斜面の前部上方の取付け板部分に屈折線42を横設して、上記摘み板26を押下げすることで屈折線42後方の取付け板部分および張出し板24が揺動して、取付け板後面側の破断子23が切断可能に形成した。
【０００９】
【発明の実施の形態】
本発明コンパクト容器の鏡付き蓋体は、蓋本体１と、該蓋本体の裏面へ固着させた内枠部材11と、該内枠部材内へ嵌合させて、内枠部材と一体成形した鏡付設部材21と、該部材が有する鏡取付け板22へ固着させた鏡31とで、該鏡以外の部材をすべて合成樹脂製としている。
【００１０】
説明の便宜上、上記蓋体を図示のように裏返し状態で説明する。
【００１１】
図１から図５は第１実施形態を示すもので蓋本体１は、四角形状に設けた頂板２外周から周壁３を起立し、その周壁後壁部分3aの左右方向中間部から左右方向へ長く設けた、容器本体への枢着板４を、又周壁前壁部分3bの左右方向中間部から左右方向へ短かく設けた、容器本体前壁へのフック５を、それぞれ起立している。尚これ等枢着板およびフックは公知である。上記後壁部分3aの左右両部は前方へ延長し、これ等延長部3d,3d 間に小凹部６を形成し、周壁の前壁部分3bと左右側壁部分3c,3c と、上記延長部3d,3d 前面とが囲む大凹部７に連通させている。又図示例では上記前壁部分と、左右側壁部分と、延長部との各内面下端に、後述内枠部材を嵌合固定させるための凹条８をそれぞれ穿設している。
【００１２】
内枠部材11は、上記前壁部分3bと左右側壁部分3c,3c と、延長部3d,3d との各内面へ嵌合させて、上記小凹部６前方を切欠きした形状の枠部分12下端から、蓋本体頂板２上へ載置させて内向きフランジ13を突出させた形状としてあり、上記切欠いた枠部分前方は当然内向きフランジを有しない。上記一部を切欠いた枠部分12の前部12b 、左右両側部12c,12c および左右方向中間部を切欠いた後部12a,12a の各外面には、既述凹条８内へ嵌合させる凸条14を付設しており、該内枠部材を大凹部７内へ強制嵌合させることで、各凸条14が凹条８内へ抜出し不能に嵌合して蓋本体１と内枠部材11とは一体的に連結可能とする。
【００１３】
鏡付設部材21は、上記内向きフランジ13が囲む蓋本体頂板２部分上へ載置させた取付け板22外周面を、内向きフランジ13の内周面と複数箇所で破断可能に破断子23で連結すると共に小凹部６前方の取付け板後面部分からは、張出し板24を頂板２上面へ載置させて後方へ突出し、該張出し板後端から起立部25を介して、摘み板26を小凹部上方の後方へ突出している。
【００１４】
張出し板24の後端は、既述延長部3d,3d の内面へ嵌合させた、枠部分後部12a,12a の内面の延長上に位置させ、起立部25前面をその延長面上に位置させている。摘み板26後面と小凹部後端との間には指差込み用の間隙を設けている。
【００１５】
上記取付け板22上面には両面テープ27等で鏡裏面を固着させる。該鏡31はその外周部を既述内向きフランジ13および張出し板24上面へ載置させる。
【００１６】
上記構成において、蓋体から鏡31を除去する際は、図２が示すように蓋体裏返し状態から蓋本体１に対して摘み板26を上方へ引上げする。すると取付け板22が共に引上げられることで各破断子23が切断され、よって鏡31を取付け板22に付設したままで鏡付設部材21を内枠部材11から外すことが出来る。
【００１７】
図６から図９は第２実施形態を示す。
該実施形態は、図９が示すように摘み板26を押下げすると、取付け板22後部が揺動し、押下げられて、このとき取付け板後面側の破断子が切断され、よって摘み板引上げによる破断子の切断は、上記既に切断された破断子を除く残余の破断子だけを切断すればよいように設けたものである。
【００１８】
そのようにするためには、図６が示すように鏡31の固着を取付け板22の前部上面でだけ行うと共に、少くとも該取付け板22の後部と張出し板24との下方の蓋本体頂板２部分を、後部が低い傾斜面41となし、又該傾斜面前部上方の取付け板部分に肉薄の屈折線42を横設する。
【００１９】
そのように形成しておくことで、摘み板26を図８の状態から押下げることで取付け板22後面側の破断子が切断されて、図９のように張出し板24の後部が傾斜面41へ接するまで揺動により下降する。
【００２０】
その他構造は図１から図５が示す第１実施形態の場合と同様であり、同一構造部分へ同一符号を付することで説明は省略する。
【００２１】
既述各実施形態においては蓋本体１、および鏡31等を四角形としたが、円形等のその他形状としてもよいことは云うまでもない。又凹条８を枠部分12に、又凸条14を蓋本体に、それぞれ逆に設けてもよく、又それ等は周設してもよい。
【００２２】
【発明の効果】
本発明は既述構成とするもので、蓋本体裏面へ固着させた内枠部材11と鏡付設部材21とを複数の破断子23で連結すると共に、鏡付設部材が有する取付け板22の後面から突設した張出し板24後端部から起立部25を介して蓋本体裏面後方の小凹部６の後方上部内へ摘み板26を突設したから、又上記取付け板22に鏡31を固着させたから、上記摘み板を蓋体裏返し状態で引上げることで鏡を固着させたまま鏡付設部材21を蓋本体１および内枠部材11から容易に外すことが出来、既述分別回収が容易である。
【００２３】
小凹部６は蓋本体裏面の後方に形成され、該小凹部内へ摘み板26を位置させるから、化粧時における鏡使用の際にその摘み板が邪魔となることもない。
【００２４】
請求項２のように、蓋本体１の周壁３内壁面に対する内枠部材の枠部分12外面の嵌合固着を、凹条および凸条８,14 の噛合せ嵌合で行うことで、蓋本体１に対する内枠部材11の固定が容易となる。
【００２５】
請求項３のようにすることで、取付け板22後方側の破断子23の切断と前方側の破断子の切断とを二回に分けて別々に行うこととなり、よってその切断が容易となる。
【図面の簡単な説明】
【図１】  本発明蓋体を裏返し状態でみた分解斜視図である。
【図２】  蓋体を裏返し状態でみた斜視図である。
【図３】  蓋体の下面図である。
【図４】  蓋体裏返し状態でみた断面図である。
【図５】  蓋体から、鏡付きの鏡付設部材を分離した状態を示す、分解斜視図である。
【図６】  第２実施形態で示す、蓋体裏返し状態での分解斜視図である。
【図７】  図６蓋体の裏面図である。
【図８】  図７蓋体裏返し状態での断面図である。
【図９】  図８状態から摘み板を押下げた状態を示す断面図である。
【図１０】  図９の状態で示す蓋体の斜視図である。
【図１１】  図１０の状態で示す蓋体から、鏡と共に鏡付設部材を外した状態を示す斜視図である。
【符号の説明】
１…蓋本体                ６…小凹部
７…大凹部                11…内枠部材
12…枠部分                21…鏡付設部材
26…摘み板
【図１】
0003781244.tif 000002
【図２】
0003781244.tif 000003
【図３】
0003781244.tif 000004
【図４】
0003781244.tif 000005
【図５】
0003781244.tif 000006
【図６】
0003781244.tif 000007
【図７】
0003781244.tif 000008
【図８】
0003781244.tif 000009
【図９】
0003781244.tif 000010
【図１０】
0003781244.tif 000011
【図１１】
0003781244.tif 000012